(57)【特許請求の範囲】
【請求項１】
コンタクトと、前記コンタクトを保持するハウジングと、前記コンタクトと前記ハウジングを覆うシェルを備え基板に装着される電気コネクタであって、
前記シェルは、互いに平行に所定方向に延びる第１の板状部及び第２の板状部並びに前記第１の板状部と前記第２の板状部を連結する連結部を有している、電気コネクタにおいて、
当該電気コネクタと嵌合する相手方コネクタの有する被ガイド部がそれぞれ挿入される一対のガイド部であって、前記第１の板状部の前記所定方向における端部領域である第１端部と、前記第２の板状部の前記所定方向における端部領域である第２端部とをそれぞれ備えるガイド部を更に備えており、
前記第１端部には、当該第１端部を前記基板に固定するための固定部が設けられており、
前記第２端部には、前記第１の板状部から前記第２の板状部へ向かう方向における力が該電気コネクタに加えられた場合に当該力に対抗する対抗手段が設けられており、
前記対抗手段は、前記基板に当接する基板当接部であって、前記所定方向において前記固定部より幅小の基板当接部を備えており、
前記固定部と前記対抗手段とは、前記所定方向において前記対抗手段が前記固定部よりも内側に位置するように、且つ、前記所定方向において並ぶように、設けられている
電気コネクタ。
【請求項２】
前記基板当接部は、前記基板の面のうち前記固定部が固定される面と同一の面上に当接している
請求項１記載の電気コネクタ。
【請求項３】
前記基板当接部は、前記面上に固定されている
請求項２記載の電気コネクタ。
【請求項４】
前記基板当接部は、前記基板の面のうち前記固定部が固定される面の反対側の面上に固定されている
請求項１記載の電気コネクタ。
【請求項５】
前記基板当接部は半田によって固定されている
請求項３又は請求項４に記載の電気コネクタ。
【請求項６】
前記基板は切欠き部を有し、
前記コネクタは前記切欠き部に装着されている
請求項１乃至請求項５のいずれかに記載の電気コネクタ。
【発明の詳細な説明】
【技術分野】
【０００１】
本発明は、電子機器等に搭載される電気コネクタ（以下、単に「コネクタ」と言う。）に関し、特に、切欠き部を有する基板に装着される落し込みタイプのコネクタに関する。
【背景技術】
【０００２】
落し込みタイプのコネクタは、シェルの上面板の長手方向における両端部が基板の切欠き部に固定されるタイプのものであり（例えば特許文献１参照）、例えばケーブルコネクタとして利用されている。
【０００３】
【特許文献１】特開２００４−３２７２４４号公報
【発明の開示】
【発明が解決しようとする課題】
【０００４】
特許文献１に記載のコネクタには、ケーブル等の相手方部材が煽られたときにコネクタにかかる力によってシェルが変形するおそれがあるという問題がある。
【０００５】
そこで、本発明は、相手方部材が煽られたとしても従来と比べてシェルが変形しにくいコネクタを提供することを目的とする。
【課題を解決するための手段】
【０００６】
本発明によれば、コンタクトと、前記コンタクトを保持するハウジングと、前記コンタクトと前記ハウジングを覆うシェルを備え基板に装着されるコネクタであって、前記シェルは、互いに平行に所定方向に延びる第１の板状部及び第２の板状部並びに前記第１の板状部と前記第２の板状部を連結する連結部を有している、コネクタにおいて、前記第１の板状部は、前記第１の板状部を前記基板に固定するための固定部を前記所定方向の両端に備えており、前記第２の板状部は、前記第１の板状部から前記第２の板状部へ向かう方向における力が該コネクタに加えられた場合に当該力に対抗する対抗手段を前記所定方向の両端に備えているコネクタが得られる。
【０００７】
さらに、本発明によれば、前記のコネクタにおいて、前記対抗手段は、前記基板の面のうち前記固定部が固定される面と同一の面上に当接する基板当接部を有しているコネクタが得られる。
【０００８】
さらに、本発明によれば、前記のコネクタにおいて、前記基板当接部は、前記面上に固定されているコネクタが得られる
【０００９】
さらに、本発明によれば、前記のコネクタにおいて、前記対抗手段は、前記基板の面のうち前記固定部が固定される面の反対側の面上に固定される基板当接部を有している
コネクタが得られる。
【００１０】
さらに、本発明によれば、前記のコネクタにおいて、前記基板当接部は半田によって固定されているコネクタが得られる。
【００１１】
さらに、本発明によれば、前記のコネクタにおいて、前記基板は切欠き部を有し、
前記コネクタは前記切欠き部に装着されているコネクタが得られる。
【発明の効果】
【００１２】
本発明によれば、第１の板状部及び第２の板状部の両方が同一の基板に固定されているので、相手方部材が煽られたとしても従来に比べてシェルの形状が変形しにくい。
【発明を実施するための最良の形態】
【００１３】
以下、本発明の第１の実施の形態によるコネクタについて図１〜図４を用いて詳細に説明する。
【００１４】
図１及び図２に示されるように、基板２は、コネクタ１を装着するための切欠き部３を有している。
【００１５】
コネクタ１は、基板対ケーブルコネクタの基板側に装着されるコネクタであり、ケーブル側コネクタ（相手方部材：図示せず）と嵌合可能なものである。本実施の形態によるコネクタ１は、シグナルコンタクト１１、グランドコンタクト１２、ハウジング２０及びシェル３０で構成されている。
【００１６】
ハウジング２０は、樹脂等の非導電性材料から形成されている。図２に示されるように、ハウジング２０には、孔２１及び孔２２が設けられている。孔２１にはシグナルコンタクト１１が夫々挿入されており、孔２２にはグランドコンタクト１２が挿入されている。これにより、ハウジング２０は、シグナルコンタクト１１及びグランドコンタクト１２を保持している。一方、図１に示されるように、ハウジング２０の嵌合端には、相手方部材と嵌合するための開口部が設けられている。
【００１７】
シェル３０は、導電性の材料を折り曲げて形成されており、上側板状部３１、下側板状部３２、嵌合孔３３及び連結部３４を有している。嵌合孔３３は、相手側部材の嵌合部を受け入れるためのものであり、ハウジングに設けられた開口部と対応している。連結部３４は、嵌合孔３３の長手方向両側に設けられており、嵌合端側で上側板状部３１と下側板状部３２を連結している。
【００１８】
図３及び図４に示されるように、ガイド部４０は、相手方部材（ケーブル側コネクタ）の被ガイド部が挿入される部分である。ガイド部４０は、上側板状部３１の長手方向端部領域にて構成されるガイド部上部４１と、下側板状部３２の長手方向端部領域にて構成されるガイド部下部４２と、ガイド壁４３とによって形成されている。ガイド壁４３には、係止孔４３ａが設けられており、嵌合時に相手側部材の被ガイド部に設けられた係止凸部が係止して嵌合状態を維持する。
【００１９】
ガイド部上部４１の端部には固定部５０が更に設けられている。本実施の形態における固定部５０は、ガイド部上部４１の端部から垂直方向下向きに延びる部位５１と、部位５１からコネクタ１の長手方向外側へ水平に延びる部位５２と、部位５２から垂直方向上向きに延びる部位５３とからなっている。部位５２が基板２に半田付けされることにより、上側板状部３１は基板２に固定される。
【００２０】
一方、ガイド部下部４２の端部には、垂直方向下向きの力がコネクタに加えられた場合にその力に対抗するための対抗手段６０が更に設けられている。本実施の形態における対抗手段６０は、ガイド部下部４２の端部から垂直方向上向きに延びる部位６１と、部位６１の端部からコネクタ１の長手方向外側へ水平に延びる基板当接部６２とからなっている。部位６１によってガイド部下部４２の端部と連結されている基板当接部６２が基板２に接していることにより、下側板状部３２は、垂直方向下向きの力に対抗することができる。
【００２１】
本実施の形態において、部位５２及び基板当接部６２は、共に基板２の同一面上に位置している。また、基板当接部６２の端部６３は、水平方向において部位５１よりもコネクタ１の内側に位置している。
【００２２】
以上述べたように、固定部５０が基板２に固定されているためコネクタ１は上向き方向の力に対抗することができ、同様に、基板当接部６２が基板２に対して当接しているため、コネクタ１は下向き方向の力に対抗することができる。即ち、本実施の形態によれば、上向き方向の力に対しては固定部５０が、下向き方向の力に対しては基板当接部６２が対抗することができることから、例えば嵌合状態において、相手方部材が垂直方向において上下に煽られたとしても、固定部５０又は基板当接部６２の働きにより、シェル３０の変形を防ぐことができる。
【００２３】
以上述べた本発明の実施の形態において、基板当接部６２は基板２に当接する形態のものとして説明したが、本発明はこれに限られるものではなく、コネクタに垂直方向上向き及び下向きの力が加えられたとしてもその力に対抗することができ、シェル３０の変形を防ぐことができる構造であれば良い。例えば、図３において、基板当接部６０を固定部が固定されている面と同じ面上に半田付けによって固定したり、基板当接部６０を固定部５０が固定されている面の反対側の面上に半田付けする構成にしてもよい。また、固定部５０の部位５１及び部位５２に開口部を設け、基板当接部６２を当該開口部内にも位置し得るような形状（例えば凸形状）としてもよい。
【図面の簡単な説明】
【００２４】
【図１】本発明の実施の形態によるコネクタ及び基板を斜め前方前面から見た斜視図である。
【図２】本発明の実施の形態によるコネクタ及び基板を斜め後方背面から見た斜視図である。
【図３】基板に装着されたコネクタの長手方向端部の部分拡大斜視図である。
【図４】図３に示された部分の正面図である。
【符号の説明】
【００２５】
１  コネクタ
２  基板
３  切欠き部
１１  シグナルコンタクト
１２  グランドコンタクト
２０  ハウジング
２１、２２  孔
３０  シェル
３１  上側板状部
３２  下側板状部
３３  嵌合孔
３４  連結部
４０  ガイド部
４１  ガイド部上部
４２  ガイド部下部
４３  ガイド壁
４３ａ  係止孔
５０  固定部
５１、５２、５３  部位
６０  対抗手段
６１  部位
６２  基板当接部
６３  端部
【図１】
0004494441.tif 000002
【図２】
0004494441.tif 000003
【図３】
0004494441.tif 000004
【図４】
0004494441.tif 000005